(57)【要約】  本発明の実施形態は、ページング処理方法、システム、およびサービングゲートウェイ(SGW)を提供し、このページング処理方法は、SGWが、モビリティ管理要素(MME)で故障が発生したことを獲得し、故障のタイプを決定し、SGWが、故障タイプに従ってMMEを再選択し、SGWが、ダウンリンクデータ通知メッセージを、再選択されたモビリティ管理要素へ送信し、再選択されたMMEは、ページングメッセージを、故障が発生したMMEによって故障が発生する前にサービスされているユーザ装置(UE)へ送信することを含む。本発明の実施形態で提供されるこの方法、システムおよびSGWでは、MMEに故障が発生するシナリオにおいて、SGWは、故障が発生したMMEによって故障が発生する前にサービスされているUEのためにMMEを再選択し、UEをページングするように、再選択されたMMEをトリガし、次いで、アタッチメントフローを開始してコンテキストを再確立するようにUEをトリガし、したがって、ユーザのサービス体験効果を有効に向上させる。
2013537375.tif 000002
【特許請求の範囲】
【請求項１】
サービングゲートウェイによって、モビリティ管理要素の障害を検出し、前記障害のタイプを決定し、前記障害の前記タイプに従って、モビリティ管理要素を再選択するステップと、
前記サービングゲートウェイによって、ダウンリンクデータ通知メッセージを、前記再選択されたモビリティ管理要素へ送信するステップであって、その後、前記再選択されたモビリティ管理要素は、ページングメッセージを、前記障害が発生する前に前記障害のあるモビリティ管理要素によってサービスされるユーザ装置UEへ送信する、ステップと
を備える、ページング処理方法。
【請求項２】
前記サービングゲートウェイによって、モビリティ管理要素の障害を検出し、前記障害のタイプを決定し、前記障害の前記タイプに従って、モビリティ管理要素を再選択する前記ステップは、
前記サービングゲートウェイによって、第1のモビリティ管理要素の障害を検出し、前記障害のタイプを再起動成功として決定し、第1のモビリティ管理要素を再選択するステップ
を備える、請求項1に記載のページング処理方法。
【請求項３】
前記サービングゲートウェイによって、モビリティ管理要素の障害を検出し、前記障害のタイプを決定し、前記障害の前記タイプに従って、モビリティ管理要素を再選択する前記ステップは、
前記サービングゲートウェイによって、第1のモビリティ管理要素の障害を検出し、前記障害のタイプを再起動成功として決定するステップと、
前記サービングゲートウェイによって、前記再起動の前に前記第1のモビリティ管理要素によってサービスされるUEのコンテキストにおいて、障害フラグを設定し、再起動成功情報を記録するステップと、
前記サービングゲートウェイによって、パケットデータネットワークゲートウェイによって送信されたUE関連ダウンリンクデータを受信するステップと、
前記サービングゲートウェイによって、前記障害フラグに記録された前記再起動成功情報に従って、第1のモビリティ管理要素を再選択するステップと
を備える、請求項1に記載のページング処理方法。
【請求項４】
前記サービングゲートウェイによって、ダウンリンクデータ通知メッセージを、前記再選択されたモビリティ管理要素へ送信する前記ステップであって、その後、前記再選択されたモビリティ管理要素は、ページングメッセージを、前記障害が発生する前に前記障害のあるモビリティ管理要素によってサービスされるUEへ送信する、前記ステップは、
前記サービングゲートウェイによって、ダウンリンクデータ通知メッセージを前記第1のモビリティ管理要素へ送信するステップであって、前記ダウンリンクデータ通知メッセージは、前記UEの国際モバイル加入者識別情報IMSI情報を搬送する、ステップと、
前記第1のモビリティ管理要素によって、ページングメッセージを前記UEへ送信するステップであって、前記ページングメッセージは、前記UEの前記IMSI情報、および、コアネットワークドメインインジケータ情報要素を搬送し、前記コアネットワークドメインインジケータ情報要素は、パケット交換ドメインを示す、ステップと
を備える、請求項2または3に記載のページング処理方法。
【請求項５】
前記UEによって、アタッチ要求メッセージを前記第1のモビリティ管理要素へ送信するステップであって、前記アタッチ要求メッセージは、前記UEの前記IMSI情報を搬送する、ステップと、
前記第1のモビリティ管理要素によって、前記アタッチ要求メッセージを受信し、ページングを停止するステップと
をさらに備える、請求項4に記載のページング処理方法。
【請求項６】
前記UEによって、アタッチ要求メッセージを第2のモビリティ管理要素へ送信するステップであって、前記アタッチ要求メッセージは、前記UEの前記IMSI情報を搬送する、ステップと、
前記第2のモビリティ管理要素によって、ホーム加入者サーバへ、前記第2のモビリティ管理要素の識別子情報と、前記UEの前記IMSI情報とを搬送する、ロケーション更新要求メッセージを送信するステップと、
前記ホーム加入者サーバによって、前記第2のモビリティ管理要素の前記識別子情報が、前記第1のモビリティ管理要素の前記識別子情報とは異なると決定するステップであって、その後、前記ホーム加入者サーバは、ロケーションキャンセルメッセージを前記第1のモビリティ管理要素へ送信する、ステップと、
前記第1のモビリティ管理要素によって、前記ロケーションキャンセルメッセージを受信し、ページングを停止するステップと
をさらに備える、請求項4に記載のページング処理方法。
【請求項７】
前記サービングゲートウェイによって、モビリティ管理要素の障害を検出し、前記障害のタイプを決定し、前記障害の前記タイプに従って、モビリティ管理要素を再選択する前記ステップは、
前記サービングゲートウェイによって、第1のモビリティ管理要素の障害を検出し、前記障害のタイプを障害非回復として決定し、前記第1のモビリティ管理要素を備えるモビリティ管理要素プール内で、第2のモビリティ管理要素を選択するステップ
を備える、請求項1に記載のページング処理方法。
【請求項８】
前記サービングゲートウェイによって、モビリティ管理要素の障害を検出し、前記障害のタイプを決定し、前記障害の前記タイプに従って、モビリティ管理要素を再選択する前記ステップは、
前記サービングゲートウェイによって、第1のモビリティ管理要素の障害を検出し、前記障害のタイプを障害非回復として決定するステップと、
前記サービングゲートウェイによって、前記障害が発生する前に前記第1のモビリティ管理要素によってサービスされるUEのコンテキストにおいて、障害フラグを設定し、障害非回復情報を記録するステップと、
前記サービングゲートウェイによって、パケットデータネットワークゲートウェイによって送信されたUE関連ダウンリンクデータを受信するステップと、
前記サービングゲートウェイによって、前記障害フラグに記録された前記障害非回復情報に従って、前記第1のモビリティ管理要素を備えるモビリティ管理要素プール内で、第2のモビリティ管理要素を選択するステップと
を備える、請求項1に記載のページング処理方法。
【請求項９】
前記サービングゲートウェイによって、ダウンリンクデータ通知メッセージを、前記再選択されたモビリティ管理要素へ送信する前記ステップであって、その後、前記再選択されたモビリティ管理要素は、ページングメッセージを、前記障害が発生する前に前記障害のあるモビリティ管理要素によってサービスされるUEへ送信する、前記ステップは、
ダウンリンクデータ通知メッセージを前記第2のモビリティ管理要素へ送信するステップであって、前記ダウンリンクデータ通知メッセージは、前記UEのIMSI情報を搬送し、前記ダウンリンクデータ通知メッセージは、ホーム加入者サーバの登録開始インジケータ情報要素をさらに搬送し、または、前記第1のモビリティ管理要素の識別子情報を搬送し、または、無線アクセス技術タイプRATタイプ情報および公衆地上モバイルネットワーク識別子PLMN ID情報を搬送し、上記の情報は、前記第2のモビリティ管理要素に対して、それ自体の識別子情報を前記ホーム加入者サーバへ送信するように命令するために使用される、ステップと、
前記第2のモビリティ管理要素によって、登録メッセージを前記ホーム加入者サーバへ送信するステップであって、前記登録メッセージは、前記UEのIMSI、および、前記第2のモビリティ管理要素の識別子情報を搬送する、ステップと、
前記第2のモビリティ管理要素によって、ページングメッセージを前記UEへ送信するステップであって、前記ページングメッセージは、前記UEのIMSI情報、および、コアネットワークドメインインジケータ情報要素を搬送し、前記コアネットワークドメインインジケータ情報要素は、パケット交換ドメインを示す、ステップと
を備える、請求項7または8に記載のページング処理方法。
【請求項１０】
前記UEによって、アタッチ要求メッセージを前記第2のモビリティ管理要素へ送信するステップであって、前記アタッチ要求メッセージは、前記UEの前記IMSI情報を搬送する、ステップと、
前記第2のモビリティ管理要素によって、前記アタッチ要求メッセージを受信し、ページングを停止するステップと
をさらに備える、請求項9に記載のページング処理方法。
【請求項１１】
前記UEによって、アタッチ要求メッセージを第3のモビリティ管理要素へ送信するステップであって、前記アタッチ要求メッセージは、前記UEの前記IMSI情報を搬送する、ステップと、
前記第3モビリティ管理要素によって、ホーム加入者サーバへ、前記第3のモビリティ管理要素の識別子情報と、前記UEの前記IMSI情報とを搬送する、ロケーション更新要求メッセージを送信するステップと、
前記ホーム加入者サーバによって、前記第3のモビリティ管理要素の前記識別子情報が、前記第2のモビリティ管理要素の前記識別子情報とは異なると決定するステップであって、その後、前記ホーム加入者サーバは、ロケーションキャンセルメッセージを前記第2のモビリティ管理要素へ送信する、ステップと、
前記第2のモビリティ管理要素によって、前記ロケーションキャンセルメッセージを受信し、ページングを停止するステップと
をさらに備える、請求項9に記載のページング処理方法。
【請求項１２】
前記サービングゲートウェイによって、ダウンリンクデータ通知メッセージを、前記再選択されたモビリティ管理要素へ送信する前記ステップであって、その後、前記再選択されたモビリティ管理要素は、ページングメッセージを、前記障害が発生する前に前記障害のあるモビリティ管理要素によってサービスされるUEへ送信する、前記ステップは、
前記サービングゲートウェイによって、ダウンリンクデータ通知メッセージを前記第2のモビリティ管理要素へ送信するステップであって、前記ダウンリンクデータ通知メッセージは、前記UEのIMSI情報を搬送し、前記ダウンリンクデータ通知メッセージは、前記第1のモビリティ管理要素のインジケータ情報要素または識別子情報をさらに搬送し、前記情報は、前記第2のモビリティ管理要素に対して、それ自体の識別子情報を前記UEへ送信するように命令するために使用される、ステップと、
前記第2のモビリティ管理要素によって、ページングメッセージを前記UEへ送信するステップであって、前記ページングメッセージは、前記UEの前記IMSI情報、および、コアネットワークドメインインジケータ情報要素を搬送し、前記コアネットワークドメインインジケータ情報要素は、パケット交換ドメインを示し、前記ページングメッセージは、前記第2のモビリティ管理要素の識別子情報、または、前記第2のモビリティ管理要素によって前記UEに割り振られた一時識別子情報をさらに搬送し、前記一時識別子情報は、前記第2のモビリティ管理要素の前記識別子情報を備える、ステップと
を備える、請求項7または8に記載のページング処理方法。
【請求項１３】
前記UEによって、メッセージを無線アクセスネットワークへ送信するステップであって、前記メッセージは、前記第2のモビリティ管理要素の識別子情報を搬送し、その後、前記無線アクセスネットワークは、前記第2のモビリティ管理要素の前記識別子情報に従って、前記第2のモビリティ管理要素を、前記UEのためのサービングネットワーク要素として選択する、ステップと、
前記UEによって、アタッチ要求メッセージを前記第2のモビリティ管理要素へ送信するステップであって、前記アタッチ要求メッセージは、前記UEの前記IMSI情報を搬送する、ステップと、
前記第2のモビリティ管理要素によって、前記アタッチ要求メッセージを受信し、ページングを停止するステップと
をさらに備える、請求項12に記載のページング処理方法。
【請求項１４】
モビリティ管理要素の障害を検出し、前記障害のタイプを決定し、前記障害の前記タイプに従って、モビリティ管理要素を再選択するように構成された、決定および選択ユニットと、
ダウンリンクデータ通知メッセージを、前記再選択されたモビリティ管理要素へ送信するように構成された、送信ユニットと
を備える、サービングゲートウェイ。
【請求項１５】
前記決定および選択ユニットは、
第1のモビリティ管理要素の障害を検出し、前記障害のタイプを再起動成功として決定し、第1のモビリティ管理要素を再選択するように特に構成される、請求項14に記載のサービングゲートウェイ。
【請求項１６】
前記決定および選択ユニットは、
第1のモビリティ管理要素の障害を検出し、前記障害のタイプを障害非回復として決定し、前記第1のモビリティ管理要素を備えるモビリティ管理要素プール内で、第2のモビリティ管理要素を選択するように特に構成される、請求項14に記載のサービングゲートウェイ。
【請求項１７】
前記決定および選択ユニットは、
前記モビリティ管理要素の障害を検出し、前記障害のタイプを決定するように構成された、決定サブユニットと、
前記障害が発生する前に前記モビリティ管理要素によってサービスされるUEのコンテキストにおいて、障害フラグを設定し、障害タイプ情報を記録するように構成された、識別子設定サブユニットと、
パケットデータネットワークゲートウェイによって送信されたUE関連ダウンリンクデータを受信するように構成された、受信サブユニットと、
前記障害フラグに記録された前記障害タイプ情報に従って、モビリティ管理要素を再選択するように構成された、選択サブユニットと
を備える、請求項14に記載のサービングゲートウェイ。
【請求項１８】
モビリティ管理要素の障害を検出し、前記障害のタイプを決定し、前記障害の前記タイプに従って、モビリティ管理要素を再選択し、ダウンリンクデータ通知メッセージを、前記再選択されたモビリティ管理要素へ送信するように構成された、サービングゲートウェイと、
前記ダウンリンクデータ通知メッセージを前記サービングゲートウェイから受信し、ページングメッセージを、前記障害が発生する前に前記障害のあるモビリティ管理要素によってサービスされるUEへ送信するように構成された、モビリティ管理要素と
を備える、ページング処理システム。
【請求項１９】
前記サービングゲートウェイは、
第1のモビリティ管理要素の障害を検出し、前記障害のタイプを再起動成功として決定し、第1のモビリティ管理要素を再選択すること、および
ダウンリンクデータ通知メッセージを前記第1のモビリティ管理要素へ送信することを行うように特に構成され、前記ダウンリンクデータ通知メッセージは、前記UEのIMSI情報を搬送する、請求項18に記載のページング処理システム。
【請求項２０】
前記サービングゲートウェイは、
第1のモビリティ管理要素の障害を検出し、前記障害のタイプを再起動成功として決定すること、
前記再起動の前に前記第1のモビリティ管理要素によってサービスされるUEのコンテキストにおいて、障害フラグを設定し、再起動成功情報を記録すること、
パケットデータネットワークゲートウェイによって送信されたUE関連ダウンリンクデータを受信すること、
前記障害フラグに記録された前記再起動成功情報に従って、第1のモビリティ管理要素を再選択すること、および
ダウンリンクデータ通知メッセージを前記第1のモビリティ管理要素へ送信することを行うように特に構成され、前記ダウンリンクデータ通知メッセージは、前記UEのIMSI情報を搬送する、請求項18に記載のページング処理システム。
【請求項２１】
前記モビリティ管理要素は、
前記サービングゲートウェイによって送信された前記ダウンリンクデータ通知メッセージを受信し、ページングメッセージを、前記障害が発生する前に前記第1のモビリティ管理要素によってサービスされる前記UEへ送信するように特に構成される、請求項19または20に記載のページング処理システム。
【請求項２２】
前記サービングゲートウェイは、
第1のモビリティ管理要素の障害を検出し、前記障害のタイプを障害非回復として決定し、前記第1のモビリティ管理要素を備えるモビリティ管理要素プール内で、第2のモビリティ管理要素を選択すること、
ダウンリンクデータ通知メッセージを前記第2のモビリティ管理要素へ送信することを行うように特に構成され、前記ダウンリンクデータ通知メッセージは、前記UEのIMSI情報を搬送し、前記ダウンリンクデータ通知メッセージは、ホーム加入者サーバの登録開始インジケータ情報要素をさらに搬送し、または、前記第1のモビリティ管理要素の識別子情報を搬送し、または、無線アクセス技術タイプRATタイプ情報および公衆地上モバイルネットワーク識別子PLMN ID情報を搬送し、上記の情報は、前記第2のモビリティ管理要素に対して、それ自体の識別子情報を前記ホーム加入者サーバへ送信するように命令するために使用される、請求項18に記載のページング処理システム。
【請求項２３】
前記サービングゲートウェイは、
第1のモビリティ管理要素の障害を検出し、前記障害のタイプを障害非回復として決定すること、
前記障害が発生する前に前記第1のモビリティ管理要素によってサービスされるUEのコンテキストにおいて、障害フラグを設定し、障害非回復情報を記録すること、
パケットデータネットワークゲートウェイによって送信されたUE関連ダウンリンクデータを受信すること、
前記障害フラグに記録された前記障害非回復情報に従って、前記第1のモビリティ管理要素を備えるモビリティ管理要素プール内で、第2のモビリティ管理要素を選択すること、および
ダウンリンクデータ通知メッセージを前記第2のモビリティ管理要素へ送信することを行うように特に構成され、前記ダウンリンクデータ通知メッセージは、前記UEのIMSI情報を搬送し、前記ダウンリンクデータ通知メッセージは、ホーム加入者サーバの登録開始インジケータ情報要素をさらに搬送し、または、前記第1のモビリティ管理要素の識別子情報を搬送し、または、無線アクセス技術タイプRATタイプ情報および公衆地上モバイルネットワーク識別子PLMN ID情報を搬送し、上記の情報は、前記第2のモビリティ管理要素に対して、それ自体の識別子情報を前記ホーム加入者サーバへ送信するように命令するために使用される、請求項18に記載のページング処理システム。
【請求項２４】
前記モビリティ管理要素は、
前記サービングゲートウェイによって送信された前記ダウンリンクデータ通知メッセージを受信し、登録メッセージを前記ホーム加入者サーバへ送信し、前記登録メッセージは、前記UEのIMSI、および、前記第2のモビリティ管理要素の識別子情報を搬送すること、および
ページングメッセージを前記UEへ送信することを行うように特に構成され、前記ページングメッセージは、前記UEの前記IMSI情報、および、コアネットワークドメインインジケータ情報要素を搬送し、前記コアネットワークドメインインジケータ情報要素は、パケット交換ドメインを示す、請求項22または23に記載のページング処理システム。
【請求項２５】
前記サービングゲートウェイは、
第1のモビリティ管理要素の障害を検出し、前記障害のタイプを障害非回復として決定し、前記第1のモビリティ管理要素を備えるモビリティ管理要素プール内で、第2のモビリティ管理要素を選択すること、
ダウンリンクデータ通知メッセージを前記第2のモビリティ管理要素へ送信することを行うように特に構成され、前記ダウンリンクデータ通知メッセージは、前記UEのIMSI情報を搬送し、前記ダウンリンクデータ通知メッセージは、前記第1のモビリティ管理要素のインジケータ情報要素または識別子情報をさらに搬送し、前記情報は、前記第2のモビリティ管理要素に対して、それ自体の識別子情報を前記UEへ送信するように命令するために使用される、請求項18に記載のページング処理システム。
【請求項２６】
前記サービングゲートウェイは、
第1のモビリティ管理要素の障害を検出し、前記障害のタイプを障害非回復として決定すること、
前記障害が発生する前に前記第1のモビリティ管理要素によってサービスを受けるUEのコンテキストにおいて、障害フラグを設定し、障害非回復情報を記録すること、
パケットデータネットワークゲートウェイによって送信されたUE関連ダウンリンクデータを受信すること、
前記障害フラグに記録された前記障害非回復情報に従って、前記第1のモビリティ管理要素を備えるモビリティ管理要素プール内で、第2のモビリティ管理要素を選択すること、および
ダウンリンクデータ通知メッセージを前記第2のモビリティ管理要素へ送信することを行うように特に構成され、前記ダウンリンクデータ通知メッセージは、前記UEのIMSI情報を搬送し、前記ダウンリンクデータ通知メッセージは、前記第2のモビリティ管理要素に対してそれ自体の識別子情報を前記UEへ送信するように命令するために使用される前記第1のモビリティ管理要素のインジケータ情報要素または識別子情報をさらに搬送する、請求項18に記載のページング処理システム。
【請求項２７】
前記モビリティ管理要素は、
前記サービングゲートウェイによって送信された前記ダウンリンクデータ通知メッセージを受信し、ページングメッセージを前記UEへ送信するように特に構成され、前記ページングメッセージは、前記UEの前記IMSI情報、および、コアネットワークドメインインジケータ情報要素を搬送し、前記コアネットワークドメインインジケータ情報要素は、パケット交換ドメインを示し、前記ページングメッセージは、前記第2のモビリティ管理要素の識別子情報、または、前記第2のモビリティ管理要素によって前記UEに割り振られた一時識別子情報をさらに搬送し、前記一時識別子情報は、前記第2のモビリティ管理要素の前記識別子情報を備える、請求項25または26に記載のページング処理システム。
【発明の詳細な説明】
【技術分野】
【０００１】
本発明は、通信技術の分野に関し、特に、ページング処理方法およびシステム、ならびにサービングゲートウェイに関する。
【背景技術】
【０００２】
現在、進化型パケットネットワーク(EPS、Evolved Packet System)では、MME(Mobility Management Entity、モビリティ管理エンティティ)またはSGSN(Serving GPRS Support Node、サービングGPRSサポートノード)に障害がある場合、MME/SGSNは、サービスを受けるUE(User Equipment、ユーザ装置)のコンテキストを失うことがある。この場合、SGW(Serving Gateway、サービングゲートウェイ)がMME/SGSNの障害を感知した場合、SGWは、障害のあるMME/SGSNによってサービスを受けるUEのコンテキストを削除することがある。このように、PGW(Packet Data Network Gateway、パケットデータネットワークゲートウェイ)から、障害のあるMME/SGSNによってサービスを受けるUEについてのダウンリンクデータを受信したとき、SGWは、モビリティ管理要素を再選択しないことがあり、UEのためのコンテキストを再作成できないことがあり、UEのためのサービスを提供しないことがあり、ユーザ体験に影響を及ぼす。
【発明の概要】
【発明が解決しようとする課題】
【０００３】
上記に鑑みて、本発明の実施形態は、ページング処理方法およびシステム、ならびに、サービングゲートウェイをも提供する。モビリティ管理要素に障害が生じた後、SGWは、障害が発生する前に障害のあるモビリティ管理要素によってサービスされるUEのためのモビリティ管理要素を再選択し、UEをページングするように、再選択されたモビリティ管理要素をトリガし、それにより、アタッチ処理を開始してコンテキストを再作成するように、UEをさらにトリガする。
【課題を解決するための手段】
【０００４】
本発明は、以下の技術的解決策を採用する。
【０００５】
ページング処理方法は、
サービングゲートウェイによって、モビリティ管理要素の障害を検出し、障害のタイプを決定し、障害のタイプに従って、モビリティ管理要素を再選択するステップと、
サービングゲートウェイによって、ダウンリンクデータ通知メッセージを、再選択されたモビリティ管理要素へ送信するステップであって、その後、再選択されたモビリティ管理要素は、ページングメッセージを、障害が発生する前に障害のあるモビリティ管理要素によってサービスされるユーザ装置UEへ送信する、ステップとを含む。
【０００６】
サービングゲートウェイは、
モビリティ管理要素の障害を検出し、障害のタイプを決定し、障害のタイプに従って、モビリティ管理要素を再選択するように構成された、決定および選択ユニットと、
ダウンリンクデータ通知メッセージを、再選択されたモビリティ管理要素へ送信するように構成された、送信ユニットとを含む。
【０００７】
ページング処理システムは、
モビリティ管理要素の障害を検出し、障害のタイプを決定し、障害のタイプに従って、モビリティ管理要素を再選択し、ダウンリンクデータ通知メッセージを、再選択されたモビリティ管理要素へ送信するように構成された、サービングゲートウェイと、
ダウンリンクデータ通知メッセージをサービングゲートウェイから受信し、ページングメッセージを、障害が発生する前に障害のあるモビリティ管理要素によってサービスされるUEへ送信するように構成された、モビリティ管理要素とを含む。
【０００８】
本発明の実施形態で提供されたページング処理方法およびシステム、ならびにサービングゲートウェイでは、モビリティ管理要素に障害があるシナリオにおいて、SGWは、障害が発生する前に障害のあるモビリティ管理要素によってサービスを受けるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【図面の簡単な説明】
【０００９】
【図１】本発明の実施形態1によるページング処理方法のフローチャートである。
【図２】本発明の実施形態2によるページング処理方法の概略図である。
【図３】本発明の実施形態3によるページング処理方法の概略図である。
【図４】本発明の実施形態4によるページング処理方法の概略図である。
【図５】本発明の実施形態5によるページング処理方法の概略図である。
【図６】本発明の実施形態6によるページング処理方法の概略図である。
【図７】本発明の実施形態7によるページング処理方法の概略図である。
【図８】本発明の実施形態8によるサービングゲートウェイの概略図である。
【図９】本発明の実施形態8で説明された決定および選択ユニットの概略図である。
【図１０】本発明の実施形態9によるページング処理システムの概略図である。
【図１１】本発明の実施形態10によるページング処理システムの概略図である。
【図１２】本発明の実施形態11によるページング処理システムの概略図である。
【図１３】本発明の実施形態12によるページング処理システムの概略図である。
【発明を実施するための形態】
【００１０】
図1は、本発明の実施形態1によるページング処理方法のフローチャートである。図1に示すように、以下の通りである。
【００１１】
101.  サービングゲートウェイは、モビリティ管理要素の障害を検出し、障害のタイプを決定し、障害のタイプに従って、モビリティ管理要素を再選択する。
【００１２】
モビリティ管理要素(例えば、MMEまたはSGSN)の障害のタイプには、再起動成功および障害非回復(fault non-recovery)が含まれる。SGWは、モビリティ管理要素の再起動成功および障害非回復を、以下のようにして感知かつ決定する。
【００１３】
1)SGWは、モビリティ管理要素の再起動成功を、以下のようにして感知かつ決定する。
【００１４】
SGWは、エコー要求メッセージをモビリティ管理要素へ送信し、エコー要求メッセージを受信した後、モビリティ管理要素は、エコー応答メッセージをSGWへ返し、ただし、このメッセージは、再起動カウンタ情報を搬送し、受信された再起動カウンタ情報に従って、SGWは、モビリティ管理要素がうまく再起動されることを検出するか、または、
【００１５】
モビリティ管理要素は、再起動されているとき、エコー要求メッセージをSGWへ送信し、ただし、このメッセージは、再起動カウンタ情報を搬送し、SGWは、受信された再起動カウンタ情報に従って、モビリティ管理要素がうまく再起動されることを検出する。
【００１６】
このとき、SGWは、UEのコンテキストを削除することなく、再起動の前にモビリティ管理要素によってサービスされるUEにサービスし続けることができ、その上、SGWに格納されたUEコンテキストが、UEにサービスするモビリティ管理要素のアドレス情報(IPアドレス)を含むため、SGWは、モビリティ管理要素が再起動されるとき、モビリティ管理要素のアドレス情報(IPアドレス)に従って、影響を受けたUEを検索することができる。
【００１７】
2)SGWは、モビリティ管理要素の障害非回復を、以下のようにして感知かつ決定する。
【００１８】
SGWは、エコー要求メッセージをモビリティ管理要素へ送信し、応答がタイムアウトした後、エコー応答メッセージを受信せず、このとき、SGWは、エコー要求メッセージをモビリティ管理要素へ再送するように選択してもよい。送信が数回繰り返された後、エコー応答メッセージが受信されない場合、SGWは、モビリティ管理要素へのリンクが使用不可能であると決定し、モビリティ管理要素が障害から回復していないと決定する。
【００１９】
このとき、SGWは、UEのコンテキストを削除することなく、障害が発生する前に障害のあるモビリティ管理要素によってサービスされるUEにサービスし続けることができ、その上、SGWに格納されたUEコンテキストが、UEにサービスするモビリティ管理要素のアドレス情報(IPアドレス)を含むため、SGWは、モビリティ管理要素に障害があるとき、モビリティ管理要素のアドレス情報(IPアドレス)に従って、影響を受けたUEを検索することができる。
【００２０】
上記の2つの障害を感知かつ決定する処理では、以下で詳述するように、SGWは、再起動または障害が発生する前にモビリティ管理要素によってサービスされるUEのコンテキストにおいて、障害フラグを設定し、再起動成功または障害非回復情報を記録することができる。
【００２１】
A)SGWは、モビリティ管理要素によってサービスを受けるUEのコンテキストにおいて、モビリティ管理要素障害フラグを設定し、モビリティ管理要素によってサービスを受けるUEについて、モビリティ管理要素再起動を記録する。例えば、障害フラグは、「MME/SGSN再起動/リセット」を記録して、MME/SGSNの再起動成功を示してもよく、もしくは、障害フラグは、関連のある再起動情報を、MME/SGSNの再起動成功を示す値「真」と共に記録してもよく、または
【００２２】
モビリティ管理要素によってサービスを受けるUEのコンテキストにおいて、SGWは、モビリティ管理要素TEIDを特定の値に設定し、例えば、MME/SGSN TEIDをヌル値もしくはすべて0もしくはすべて1に設定し、異なる障害シナリオ間で区別するようにする。ここでは、MME/SGSN TEIDは、すべて0に設定されて、MME/SGSNの再起動成功が示されてもよい。
【００２３】
B)SGWは、モビリティ管理要素によってサービスを受けるUEのコンテキストにおいて、モビリティ管理要素障害フラグを設定し、モビリティ管理要素によってサービスを受けるUEについて、モビリティ管理要素障害非回復を記録する。例えば、MME/SGSN障害非回復を示すための「MME/SGSN故障」が障害フラグに記録されてもよく、もしくは、関連のある障害情報が障害フラグに、MME/SGSN障害非回復を示す値「真」と共に記録されてもよく、または
【００２４】
モビリティ管理要素によってサービスを受けるUEのコンテキストにおいて、SGWは、モビリティ管理要素TEIDを特定の値に設定し、例えば、MME/SGSN TEIDをヌル値もしくはすべて0もしくはすべて1に設定し、異なる障害シナリオ間で区別するようにする。ここでは、MME/SGSN TEIDは、すべて1に設定されて、MME/SGSN障害非回復が示されてもよい。
【００２５】
上記で決定された障害タイプに応じて、SGWは、モビリティ管理要素を以下のようにして再選択する。
【００２６】
I.  モビリティ管理要素がうまく再起動される場合、
【００２７】
方式1:
【００２８】
第1のモビリティ管理要素がうまく再起動されることを検出かつ決定した後、SGWは、うまく再起動されたモビリティ管理要素(以下で、第1のモビリティ管理要素と称する)を選択する。
【００２９】
方式2:
【００３０】
第1のモビリティ管理要素がうまく再起動されることを検出かつ決定した後、SGWは、再起動が発生する前に第1のモビリティ管理要素によってサービスされるUEのコンテキストにおいて、障害フラグを設定し、再起動成功情報を記録し、次いで、ダウンリンクデータをPGWから受信した後、SGWはなお、障害フラグによって記録された再起動成功情報に従って、第1のモビリティ管理要素を選択する。
【００３１】
II.  モビリティ管理要素が障害から回復しない場合、
【００３２】
方式3:
【００３３】
第1のモビリティ管理要素が障害から回復しないことを検出かつ決定した後、SGWは、第1のモビリティ管理要素を含むモビリティ管理要素プール内で、モビリティ管理要素(以下で、第2のモビリティ管理要素と称する)を再選択する。
【００３４】
方式4:
【００３５】
第1のモビリティ管理要素が障害から回復しないことを検出かつ決定した後、SGWは、障害が発生する前に第1のモビリティ管理要素によってサービスされるUEのコンテキストにおいて、障害フラグを設定し、障害非回復情報を記録し、次いで、ダウンリンクデータをPGWから受信した後、SGWは、障害フラグによって記録された障害非回復情報に従って、第1のモビリティ管理要素を含むモビリティ管理要素プール内で、モビリティ管理要素(第2のモビリティ管理要素)を再選択する。
【００３６】
102.  サービングゲートウェイは、ダウンリンクデータ通知メッセージを、再選択されたモビリティ管理要素へ送信し、その後、再選択されたモビリティ管理要素は、ページングメッセージを、障害が発生する前に障害のあるモビリティ管理要素によってサービスされるユーザ装置UEへ送信する。
【００３７】
I.  モビリティ管理要素がうまく再起動される場合、
【００３８】
方式1および方式2の後に続くステップには、以下が含まれる。
【００３９】
SGWは、ダウンリンクデータ通知(DL Data Notification)メッセージを第1のモビリティ管理要素へ送信し、ただし、ダウンリンクデータ通知メッセージは、再起動が発生する前に第1のモビリティ管理要素によってサービスされるUEのIMSI(International Mobile Subscriber Identification Number、international mobile subscriber identity)情報を搬送する。
【００４０】
ダウンリンクデータ通知メッセージを受信した後、第1のモビリティ管理要素は、ページング(Paging)メッセージをUEへ送信し、ただし、ページングメッセージは、UEのIMSI情報、および、コアネットワークドメインインジケータ(CN Domain Indicator)情報要素を搬送し、CNドメインインジケータは、PSである。
【００４１】
方式1および方式2は、以下をさらに含む。すなわち、IMSI情報を搬送するページングメッセージを受信した後、UEは、UEのIMSI情報を搬送するアタッチ要求(Attach Request)メッセージを送信し、その理由は、ページングメッセージが、UEのIMSI情報、および、CNドメインインジケータ情報要素を搬送するためであり、また、CNドメインインジケータがPSであるためであり、アタッチ要求メッセージを受信するモビリティ管理要素、および、第1のモビリティ管理要素が、同じモビリティ管理要素である場合、アタッチ要求メッセージは、ページング応答メッセージと見なされ、第1のモビリティ管理要素は、ページングを停止する。アタッチ要求メッセージを受信するモビリティ管理要素(以下で、第2のモビリティ管理要素と称する)、および、第1のモビリティ管理要素が、異なるモビリティ管理要素である場合、アタッチ要求メッセージを受信する第2のモビリティ管理要素は、ロケーション更新(Update Location)要求メッセージを、HSS(Home Subscriber Server、ホーム加入者サーバ)へ送信する。HSS内の第1のモビリティ管理要素の識別子情報(MME1 ID/SGSN1番号情報/SGSN1 IPアドレス情報)は、第2のモビリティ管理要素の識別子情報(MME2 ID/SGSN2番号情報/SGSN2 IPアドレス情報)に合致しないので、HSSは、ロケーションキャンセル(Cancel Location)メッセージを第1のモビリティ管理要素へ送信するようにトリガされ、第1のモビリティ管理要素は、ロケーションキャンセルメッセージを受信した後、ページングを停止する。
【００４２】
II.  モビリティ管理要素が障害から回復しない場合、
【００４３】
方式3および方式4の後に続くステップには、以下が含まれる。
【００４４】
SGWは、ダウンリンクデータ通知メッセージを第2のモビリティ管理要素へ送信し、ただし、ダウンリンクデータ通知メッセージは、障害が発生する前に第1のモビリティ管理要素によってサービスされるUEのIMSI情報を搬送し、ダウンリンクデータ通知メッセージは、HSS登録開始インジケータ情報要素をさらに搬送し、または、第1のモビリティ管理要素の識別子情報(MME1 ID/SGSN1番号情報/SGSN1 IPアドレス情報)を搬送し、または、RATタイプ(Radio Access Technique Type、無線アクセス技術タイプ)情報およびPLMN ID(Public Land Mobile Network Identity、public land mobile network identifier)情報を搬送する。RATタイプ情報は、UEによって現在選択された無線アクセスタイプ(E-UTRANまたはGERANまたはUTRANなど)を示すために使用され、PLMN ID情報は、現在のUEによって選択されたPLMN識別子情報を示すために使用される。
【００４５】
ダウンリンクデータ通知メッセージを受信した後、第2のモビリティ管理要素は、ロケーション更新要求メッセージまたは要求通知(Notify Request)メッセージなど、登録メッセージをHSSへ送信し、ただし、登録メッセージは、UEのIMSI情報、および、第2のモビリティ管理要素の識別子情報(MME2 ID/SGSN2番号情報/SGSN2 IPアドレス情報)を搬送し、HSSが第2のモビリティ管理要素についての情報を検出するようにする。
【００４６】
ロケーション更新Ackメッセージまたは応答通知(Notify Response)メッセージをHSSから受信した後、第2のモビリティ管理要素は、ページングメッセージをUEへ送信し、ただし、ページングメッセージは、UEのIMSI情報、および、CNドメインインジケータ情報要素を搬送し、CNドメインインジケータは、PSである。
【００４７】
方式3および方式4は、さらに以下を含み、すなわち、IMSI情報を搬送するページングメッセージを受信した後、UEは、UEのIMSI情報を搬送するアタッチ要求メッセージを送信し、その理由は、ページングメッセージが、UEのIMSI情報、および、CNドメインインジケータ情報要素を搬送するためであり、また、CNドメインインジケータがPSであるためであり、アタッチ要求メッセージを受信するモビリティ管理要素、および、第2のモビリティ管理要素が、同じモビリティ管理要素である場合、アタッチ要求メッセージは、ページング応答メッセージと見なされ、第2のモビリティ管理要素は、ページングを停止する。アタッチ要求メッセージを受信するモビリティ管理要素、および、第2のモビリティ管理要素が、異なるモビリティ管理要素である場合、アタッチ要求メッセージを受信するモビリティ管理要素は、ロケーション更新要求メッセージをHSSへ送信する。HSS内の第2のモビリティ管理要素の識別子情報は、アタッチ要求メッセージを受信するモビリティ管理要素の識別子情報に合致しないので、HSSは、ロケーションキャンセルメッセージを第2のモビリティ管理要素へ送信するようにトリガされ、第2のモビリティ管理要素は、ロケーションキャンセルメッセージを受信した後、ページングを停止する。
【００４８】
随意に、方式3および方式4の後に続いて、以下を含む、以下の方式が使用されてもよい。
【００４９】
SGWは、ダウンリンクデータ通知メッセージを第2のモビリティ管理要素へ送信し、ただし、ダウンリンクデータ通知メッセージは、障害が発生する前に第1のモビリティ管理要素によってサービスされるUEのIMSI情報を搬送し、ページングトリガメッセージは、第2のモビリティ管理要素のインジケータ情報要素または識別子情報(MME2 ID/SGSN2番号情報/SGSN2 IPアドレス情報)をさらに搬送し、ただし、この情報は、第2のモビリティ管理要素に対して、その識別子情報をUEへ送信するように命令するために使用される。
【００５０】
第2のモビリティ管理要素は、ページングメッセージをUEへ送信し、ただし、ページングメッセージは、UEのIMSI情報、および、CNドメインインジケータ情報要素を搬送し、CNドメインインジケータは、PSであり、ページングメッセージは、MME2 ID/SGSN2 NRI(Network Resource Indicator、ネットワークリソースインジケータ)情報など、第2のモビリティ管理要素の識別子情報をさらに搬送し、または、MME2 IDのS-TMSI(S-Temporary Mobile Subscriber Identity、S-一時モバイル加入者識別情報)/GUTI(Globally Unique Temporary Identity、globally unique temporary identifier)情報を搬送し、または、SGSN2 NRIのP-TMSI(Packet Temporary Mobile Subscriber Identity、パケット一時モバイル加入者識別情報)情報を搬送する。
【００５１】
方式3および方式4は、以下をさらに含み、すなわち、UEは、受信された第2のモビリティ管理要素の識別子情報を、無線アクセスネットワークRANへ送信し、ページングメッセージが、UEのIMSI情報、および、CNドメインインジケータ情報要素を搬送するため、かつ、CNドメインインジケータがPSであるため、UEは、UEのIMSI情報を搬送するアタッチ要求メッセージを、第2のモビリティ管理要素へ送信し、および
【００５２】
第2のモビリティ管理要素は、アタッチ要求メッセージを受信し、ページングを停止する。
【００５３】
本発明のこの実施形態で提供されたページング処理方法では、モビリティ管理要素に障害があるシナリオにおいて、SGWは、障害が発生する前に障害のあるモビリティ管理要素によってサービスされるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【００５４】
図2は、本発明の第2の実施形態によるページング処理方法の概略図である。図2に示すように、以下の通りである。
【００５５】
201.  SGWは、MME1/SGSN1がうまく再起動されることを検出かつ決定する。
【００５６】
SGWは、エコー要求メッセージをMME1/SGSN1へ送信し、エコー要求メッセージを受信した後、MME1/SGSN1は、エコー応答メッセージをSGWへ返し、ただし、このメッセージは、再起動カウンタ情報を搬送し、受信された再起動カウンタ情報に従って、SGWは、MME1/SGSN1がうまく再起動されることを検出するか、または、
【００５７】
MME1/SGSN1は、再起動されているとき、エコー要求メッセージをSGWへ送信し、ただし、このメッセージは、再起動カウンタ情報を搬送し、受信された再起動カウンタ情報に従って、SGWは、MME1/SGSN1がうまく再起動されることを検出する。
【００５８】
このとき、SGWは、UEのコンテキストを削除することなく、MME1/SGSN1が再起動される前にサービスされるUEにサービスし続け、その上、SGWに格納されたUEコンテキストが、UEにサービスするMME1/SGSN1のアドレス情報(IPアドレス)を含むため、SGWは、MME1/SGSN1が再起動されるとき、MME1/SGSN1のアドレス情報(IPアドレス)に従って、影響を受けたUEを検索することができる。
【００５９】
この実施形態では、MME1/SGSN1の再起動成功を検出かつ決定する方法は、上記の2つの方法に限定されない。
【００６０】
202.  SGWは、UEをページングするようにMME1/SGSN1をトリガするために、ダウンリンクデータ通知(DL Data Notification)メッセージをMME1/SGSN1へ送信する。
【００６１】
SGWは、MME1/SGSN1の再起動成功を決定し、MME1/SGSN1を再選択してUEコンテキストを再作成するように、SGWをトリガし、DLデータ通知メッセージをMME1/SGSN1へ送信し、ただし、DLデータ通知メッセージは、UEのIMSI情報を搬送する。
【００６２】
MME1/SGSN1が再起動され、それによってサービスを受けるUEのコンテキストが失われるので、IMSI情報は、MME1/SGSN1にとって不明であり、したがって、UEのIMSI情報を搬送するDLデータ通知メッセージを受信した後、MME1/SGSN1は、ページングメッセージをUEへ送信するようにトリガされ、それにより、アタッチ処理を行ってUEコンテキストを再作成するように、UEをさらにトリガする。
【００６３】
203.  MME1/SGSN1は、ページング(Paging)メッセージをUEへ送信し、ただし、ページングメッセージは、UEのIMSI情報を搬送する。
【００６４】
ページングメッセージは、以下で詳述するように、eノードBまたはRNC/BSSを通して、UEへ転送される。
【００６５】
MME1は、ページングメッセージをeノードBへ送信し、ページングメッセージが、SGWによって提供されるUE IMSI情報およびCNドメインインジケータ情報要素を搬送し、CNドメインインジケータが「PS」であるため、eノードBは、ページングメッセージを受信した後、UEをページングし、または
【００６６】
SGSN1は、ページングメッセージをRNC/BSSへ送信し、ページングメッセージが、SGWによって提供されるUE IMSI情報およびCNドメインインジケータを搬送し、CNドメインインジケータがPSであるため、RNC/BSSは、ページングメッセージを受信した後、UEをページングする。
【００６７】
このステップで、MME1/SGSN1は、ページングステートマシンを起動してもよく、ページング応答メッセージ(アタッチ要求またはロケーションキャンセル)が期間内に受信されない場合、MME1/SGSN1は、ページングメッセージを再送してもよい。
【００６８】
204.  UEは、アタッチ要求メッセージをMME2/SGSN2へ送信する。
【００６９】
UEがページングメッセージを受信した後、ページングメッセージが、UEのIMSI情報、および、CNドメインインジケータ情報要素を搬送し、CNドメインインジケータがPSであるため、UEは、アタッチ処理を開始する。このとき、UEは、アタッチ要求メッセージをMME2/SGSN2へ送信し、ただし、アタッチ要求メッセージは、UEのIMSI情報を搬送する。
【００７０】
MME2/SGSN2は、アタッチ要求メッセージを受信し、この場合、MME2およびMME1が同じMMEである場合、もしくは、SGSN2およびSGSN1が同じSGSNである場合、MME1/SGSN1は、ステップ207を直接行って、ページングを停止するか、または
【００７１】
MME2/SGSN2は、アタッチ要求メッセージを受信し、この場合、MME2およびMME1が異なるMMEである場合、もしくは、SGSN2およびSGSN1が異なるSGSNである場合、MME2/SGSN2は、ステップ205を行い続ける。
【００７２】
205.  MME2/SGSN2は、ロケーション更新要求メッセージをHSSへ送信し、ただし、ロケーション更新要求メッセージは、UEのIMSI情報、および、MME2/SGSN2識別子情報(MME2 ID/SGSN2番号情報/SGSN2 IPアドレス情報)を搬送し、HSSは、ロケーション更新AckメッセージをMME2/SGSN2へ返す。
【００７３】
206.  HSSは、ロケーションキャンセルメッセージをMME1/SGSN1へ送信する。
【００７４】
ステップ205で、MME2/SGSN2識別子情報を受信した後、HSSは、ロケーションキャンセルメッセージをMME1/SGSN1へ送信するようにトリガされ、その理由は、HSSがMME1/SGSN1の識別子情報を格納しており、MME2/SGSN2の識別子情報が、MME1/SGSN1の識別子情報とは異なるためである。
【００７５】
207.  MME1/SGSN1は、ロケーションキャンセルメッセージを受信し、ページングを停止する。
【００７６】
208.  MME1/SGSN1は、ロケーションキャンセルAckメッセージを送信する。
【００７７】
本発明のこの実施形態で提供されたページング処理方法では、SGWは、障害が発生する前に障害のあるモビリティ管理要素によってサービスされるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【００７８】
図3は、本発明の実施形態3によるページング処理方法の概略図である。図3に示すように、以下の通りである。
【００７９】
301.  SGWは、MME1/SGSN1の再起動成功を検出かつ決定し、再起動の前にMME1/SGSN1によってサービスされるUEのコンテキストにおいて、障害フラグを設定し、再起動成功情報を記録する。
【００８０】
SGWがどのようにMME1/SGSN1の再起動成功を検出かつ決定するかについての詳細な説明は、実施形態2のステップ201とまったく同じである。詳細な説明については、ステップ201を参照することができ、このステップについては、これ以上詳述しない。
【００８１】
MME1/SGSN1の再起動成功を検出かつ決定した後、SGWは、以下で詳述するように、再起動の前にMME1/SGSN1によってサービスされるUEのコンテキストにおいて、障害フラグを設定し、再起動成功情報を記録する。
【００８２】
1)SGWは、MME1/SGSN1によってサービスを受けるUEのコンテキストにおいて、MME1/SGSN1障害フラグを設定し、MME1/SGSN1によってサービスを受けるUEについて、MME1/SGSN1再起動を記録する。例えば、障害フラグは、「MME1/SGSN1再起動/リセット」を記録して、MME1/SGSN1の再起動成功を示してもよく、または、障害フラグは、関連のある再起動情報を、MME1/SGSN1の再起動成功を示す値「真」と共に記録してもよい。
【００８３】
2)MME1/SGSN1によってサービスを受けるUEのコンテキストにおいて、SGWは、MME1/SGSN1 TEIDを特定の値に設定し、例えば、MME1/SGSN1 TEIDをヌル値またはすべて0またはすべて1に設定し、異なる障害シナリオ間で区別するようにする。ここでは、MME1/SGSN1 TEIDは、すべて0に設定されて、MME1/SGSN1の再起動成功が示されてもよい。
【００８４】
この実施形態では、MME1/SGSN1の再起動成功を検出かつ記録する方法は、上記の2つの方法に限定されない。
【００８５】
302.  SGWは、ダウンリンクデータをPGWから受信し、障害フラグに記録された再起動成功情報に従って、MME1/SGSN1を再選択してUEコンテキストを再作成するように、SGWをトリガする。
【００８６】
303.  このステップについての詳細な説明は、実施形態2のステップ202とまったく同じである。詳細な説明については、ステップ202を参照することができ、このステップについては、これ以上詳述しない。
【００８７】
304.  このステップについての詳細な説明は、実施形態2のステップ203とまったく同じである。詳細な説明については、ステップ203を参照することができ、このステップについては、これ以上詳述しない。
【００８８】
305.  このステップについての詳細な説明は、実施形態2のステップ204とまったく同じである。詳細な説明については、ステップ204を参照することができ、このステップについては、これ以上詳述しない。
【００８９】
306.  このステップについての詳細な説明は、実施形態2のステップ205とまったく同じである。詳細な説明については、ステップ205を参照することができ、このステップについては、これ以上詳述しない。
【００９０】
307.  このステップについての詳細な説明は、実施形態2のステップ206とまったく同じである。詳細な説明については、ステップ206を参照することができ、このステップについては、これ以上詳述しない。
【００９１】
308.  このステップについての詳細な説明は、実施形態2のステップ207とまったく同じである。詳細な説明については、ステップ207を参照することができ、このステップについては、これ以上詳述しない。
【００９２】
309.  このステップについての詳細な説明は、実施形態2のステップ208とまったく同じである。詳細な説明については、ステップ208を参照することができ、このステップについては、これ以上詳述しない。
【００９３】
本発明のこの実施形態で提供されたページング処理方法では、SGWは、障害が発生する前に障害のあるモビリティ管理要素によってサービスを受けるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【００９４】
図4は、本発明の実施形態4によるページング処理方法の概略図である。図4に示すように、以下の通りである。
【００９５】
401.  SGWは、MME1/SGSN1が障害から回復していないことを検出かつ決定する。
【００９６】
SGWは、エコー要求メッセージをMME1/SGSN1へ送信し、応答がタイムアウトした後、エコー応答メッセージを受信せず、このとき、SGWは、エコー要求メッセージをMME1/SGSN1へ再送するように選択してもよい。送信が数回繰り返された後、エコー応答メッセージが受信されない場合、SGWは、MME1/SGSN1へのリンクが使用不可能である、すなわち、MME1/SGSN1が障害から回復していないと決定する。
【００９７】
このとき、SGWは、UEのコンテキストを削除することなく、MME1/SGSN1に障害があるようになる前にサービスされるUEにサービスし続け、その上、SGWに格納されたUEコンテキストが、UEにサービスするMME1/SGSN1のアドレス情報(IPアドレス)を含むため、SGWは、MME1/SGSN1に障害があるとき、MME1/SGSN1のアドレス情報(IPアドレス)に従って、影響を受けたUEを検索することができる。
【００９８】
この実施形態では、MME1/SGSN1障害非回復を感知かつ決定する方法は、上記の方法に限定されない。
【００９９】
402.  SGWは、UEをページングするようにMME1/SGSN1をトリガするために、ダウンリンクデータ通知(DL Data Notification)メッセージをMME2/SGSN2へ送信する。
【０１００】
SGWは、MME1/SGSN1が障害から回復していないと決定し、MME1/SGSN1を含むMME/SGSNプール内で、MME1/SGSN1とは異なるモビリティ管理要素を再選択するように、すなわち、MME2/SGSN2を再選択するように、SGWをトリガし、DLデータ通知メッセージをMME2/SGSN2へ送信し、ただし、DLデータ通知メッセージは、UEのIMSI情報のみを搬送するのではなく、以下をも搬送してもよく、すなわち、
HSS登録開始インジケータ情報要素、もしくは
MME1/SGSN1の識別子情報(MME1 ID/SGSN1番号情報/SGSN1 IPアドレス情報)、または
【０１０１】
RATタイプ情報およびPLMN ID情報であって、ただし、RATタイプ情報は、UEによって現在選択された無線アクセスタイプ(例えば、E-UTRANもしくはGERANもしくはUTRAN)を示すために使用され、PLMN ID情報は、UEによって現在選択されたPLMN識別子情報を示すために使用される。
【０１０２】
DLデータ通知メッセージ内で搬送された情報は、ステップ403でHSSへこのメッセージを送信するように、MME2/SGSN2をトリガするために使用される。具体的には、MME2/SGSN2は、DLデータ通知を受信する。
【０１０３】
このメッセージが、HSS登録開始インジケータ情報要素を搬送する場合、ステップ403が行われる。
【０１０４】
このメッセージ内で搬送されたMME1/SGSN1情報がMME2/SGSN2に合致しない場合、ステップ403が行われる。
【０１０５】
このメッセージが、RATタイプ情報およびPLMN ID情報を搬送する場合、ステップ403が行われる。その上、RATタイプ情報およびPLMN ID情報は、ロケーション更新要求メッセージの必須情報要素である。
【０１０６】
403.  MME2/SGSN2は、登録メッセージをHSSへ送信し、例えば、ロケーション更新要求メッセージまたは要求通知メッセージである。
【０１０７】
MME2/SGSN2は、登録メッセージをHSSへ送信して、MME2/SGSN2を登録する。具体的には、例えば、登録メッセージは、ロケーション更新要求メッセージまたは要求通知メッセージである。このメッセージは、UEのIMSI情報、および、MME2/SGSN2識別子情報(MME2 ID/SGSN2番号情報/SGSN2 IPアドレス情報など)を搬送し、それにより、HSSに、MME2/SGSN2情報を検出させる。この処理は、HSSに登録する処理として知られる。この実施形態は、MME2/SGSN2をHSSに登録するための他のメッセージを除外するものではない。
【０１０８】
ステップ402におけるメッセージがRATタイプ情報およびPLMN ID情報を搬送するとき、本発明は、MME2/SGSN2がロケーション更新要求メッセージをHSSへ送信することを好ましいものとし、ただし、ロケーション更新要求メッセージは、UEのIMSI情報およびMME2/SGSN2情報のみを搬送するのではなく、ステップ402でメッセージを通して取得されるRATタイプ情報およびPLMN ID情報をも搬送することに留意されたい。
【０１０９】
404.  MME2/SGSN2は、対応するメッセージをHSSから受信し、例えば、ロケーション更新Ackメッセージまたは応答通知メッセージである。
【０１１０】
405.  MME2/SGSN2は、ページングメッセージをUEへ送信し、ただし、ページングメッセージは、UEのIMSI情報を搬送する。
【０１１１】
ページングメッセージは、以下で詳述するように、eノードBまたはRNC/BSSを通して、UEへ転送される。
【０１１２】
MME2は、ページングメッセージをeノードBへ送信し、ページングメッセージが、SGWによって提供されるUE IMSI情報およびCNドメインインジケータ情報要素を搬送し、CNドメインインジケータが「PS」であるため、eノードBは、ページングメッセージを受信した後、UEをページングし、または
【０１１３】
SGSN2は、ページングメッセージをRNC/BSSへ送信し、ページングメッセージが、SGWによって提供されるUE IMSI情報およびCNドメインインジケータ情報要素を搬送し、CNドメインインジケータが「PS」であるため、RNC/BSSは、ページングメッセージを受信した後、UEをページングする。
【０１１４】
このステップで、MME2/SGSN2は、ページングステートマシンを起動してもよく、ページング応答メッセージ(アタッチ要求またはロケーションキャンセル)が期間内に受信されない場合、MME2/SGSN2は、ページングメッセージを再送してもよい。
【０１１５】
406.  UEは、アタッチ要求メッセージをMME3/SGSN3へ送信する。
【０１１６】
UEがページングメッセージを受信した後、ページングメッセージが、UEのIMSI情報、および、CNドメインインジケータ情報要素を搬送し、CNドメインインジケータが「PS」であるため、UEは、アタッチ処理を開始する。このとき、UEは、アタッチ要求メッセージをMME3/SGSN3へ送信し、ただし、アタッチ要求メッセージは、UEのIMSI情報を搬送する。
【０１１７】
MME3/SGSN3は、アタッチ要求メッセージを受信し、この場合、MME3およびMME2が同じMMEである場合、もしくは、SGSN3およびSGSN2が同じSGSNである場合、MME2/SGSN2は、ステップ409を直接行って、ページングを停止するか、または
【０１１８】
MME3/SGSN3は、アタッチ要求メッセージを受信し、この場合、MME3およびMME2が異なるMMEである場合、もしくは、SGSN3およびSGSN2が異なるSGSNである場合、MME3/SGSN3は、ステップ407を行い続ける。
【０１１９】
407.  MME3/SGSN3は、ロケーション更新要求メッセージまたは要求通知メッセージをHSSへ送信し、ただし、ロケーション更新要求メッセージまたは要求通知メッセージは、UEのIMSI情報、および、MME3/SGSN3識別子情報(MME3 ID/SGSN3番号情報/SGSN3 IPアドレス情報)を搬送し、HSSは、ロケーション更新Ackメッセージまたは応答通知メッセージをMME3/SGSN3へ返す。
【０１２０】
408.  HSSは、ロケーションキャンセルメッセージをMME2/SGSN2へ送信する。
【０１２１】
ステップ407で、HSSがMME3/SGSN3識別子情報を受信した後、HSSがMME2/SGSN2の識別子情報を格納しており、MME3/SGSN3の識別子情報が、MME2/SGSN2の識別子情報とは異なるため、HSSは、ロケーションキャンセルメッセージをMME2/SGSN2へ送信するようにトリガされる。
【０１２２】
409.  MME2/SGSN2は、ロケーションキャンセルメッセージを受信し、ページングを停止する。
【０１２３】
410.  MME2/SGSN2は、ロケーションキャンセルAckメッセージを送信する。
【０１２４】
本発明のこの実施形態で提供されたページング処理方法では、モビリティ管理要素に障害があるシナリオにおいて、SGWは、障害が発生する前に障害のあるモビリティ管理要素によってサービスされるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【０１２５】
図5は、本発明の実施形態5によるページング処理方法の概略図であり、図5に示すように、以下の通りである。
【０１２６】
501.  SGWは、MME1/SGSN1が障害から回復していないことを検出かつ決定し、障害が発生する前にMME1/SGSN1によってサービスされるUEのコンテキストにおいて、障害フラグを設定し、障害非回復情報を記録する。
【０１２７】
SGWがどのようにMME1/SGSN1障害非回復を検出かつ決定するかについての詳細な説明は、実施形態4のステップ401とまったく同じである。詳細な説明については、ステップ401を参照することができ、このステップについては、これ以上詳述しない。
【０１２８】
MME1/SGSN1が障害から回復していないことを検出かつ決定した後、SGWは、以下に詳述するように、障害が発生する前にMME1/SGSN1によってサービスされるUEのコンテキストにおいて、障害フラグを設定し、障害非回復情報を記録する。
【０１２９】
1)SGWは、MME1/SGSN1によってサービスを受けるUEのコンテキストにおいて、MME1/SGSN1障害フラグを設定し、MME1/SGSN1によってサービスを受けるUEについて、MME1/SGSN1障害非回復を記録する。例えば、障害フラグは、「MME1/SGSN1故障」を記録して、MME1/SGSN1障害非回復を示してもよく、または、障害フラグは、関連のある障害情報を、MME1/SGSN1障害非回復を示す値「真」と共に記録してもよい。
【０１３０】
2)MME1/SGSN1によってサービスを受けるUEのコンテキストにおいて、SGWは、MME1/SGSN1 TEIDを特定の値に設定し、例えば、MME1/SGSN1 TEIDをヌル値またはすべて0またはすべて1に設定し、異なる障害シナリオ間で区別するようにする。ここでは、MME1/SGSN1 TEIDは、すべて1に設定されて、MME1/SGSN1障害非回復が示されてもよい。
【０１３１】
この実施形態では、MME1/SGSN1障害非回復を感知かつ記録する方法は、上記の2つの方法に限定されない。
【０１３２】
502.  SGWは、ダウンリンクデータをPGWから受信し、障害フラグに記録された障害非回復情報に従って、MME1/SGSN1を含むMME/SGSNプール内で、MME1/SGSN1とは異なるモビリティ管理要素、すなわち、MME2/SGSN2を選択するように、SGWをトリガして、UEコンテキストを再作成するようにする。
【０１３３】
503.  このステップについての詳細な説明は、実施形態4のステップ402とまったく同じである。詳細な説明については、ステップ402を参照することができ、このステップについては、これ以上詳述しない。
【０１３４】
504.  このステップについての詳細な説明は、実施形態4のステップ403とまったく同じである。詳細な説明については、ステップ403を参照することができ、このステップについては、これ以上詳述しない。
【０１３５】
505.  このステップについての詳細な説明は、実施形態4のステップ404とまったく同じである。詳細な説明については、ステップ404を参照することができ、このステップについては、これ以上詳述しない。
【０１３６】
506.  このステップについての詳細な説明は、実施形態4のステップ405とまったく同じである。詳細な説明については、ステップ405を参照することができ、このステップについては、これ以上詳述しない。
【０１３７】
507.  このステップについての詳細な説明は、実施形態4のステップ406とまったく同じである。詳細な説明については、ステップ406を参照することができ、このステップについては、これ以上詳述しない。
【０１３８】
508.  このステップについての詳細な説明は、実施形態4のステップ407とまったく同じである。詳細な説明については、ステップ407を参照することができ、このステップについては、これ以上詳述しない。
【０１３９】
509.  このステップについての詳細な説明は、実施形態4のステップ408とまったく同じである。詳細な説明については、ステップ408を参照することができ、このステップについては、これ以上詳述しない。
【０１４０】
510.  このステップについての詳細な説明は、実施形態4のステップ409とまったく同じである。詳細な説明については、ステップ409を参照することができ、このステップについては、これ以上詳述しない。
【０１４１】
511.  このステップについての詳細な説明は、実施形態4のステップ410とまったく同じである。詳細な説明については、ステップ410を参照することができ、このステップについては、これ以上詳述しない。
【０１４２】
本発明のこの実施形態で提供されたページング処理方法では、モビリティ管理要素に障害があるシナリオにおいて、SGWは、障害が発生する前に障害のあるモビリティ管理要素によってサービスされるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【０１４３】
図6は、本発明の実施形態6によるページング処理方法の概略図であり、図6に示すように、以下の通りである。
【０１４４】
601.  SGWは、MME1/SGSN1が障害から回復していないことを検出かつ決定する。
【０１４５】
SGWは、エコー要求メッセージをMME1/SGSN1へ送信し、応答がタイムアウトした後、エコー応答メッセージを受信せず、このとき、SGWは、エコー要求メッセージをMME1/SGSN1へ再送するように選択してもよい。送信が数回繰り返された後、エコー応答メッセージが受信されない場合、SGWは、MME1/SGSN1へのリンクが使用不可能である、すなわち、MME1/SGSN1が障害から回復していないと決定する。
【０１４６】
このとき、SGWは、UEのコンテキストを削除することなく、MME1/SGSN1によってサービスを受けるUEにサービスし続け、その上、SGWに格納されたUEコンテキストが、UEにサービスするMME1/SGSN1のアドレス情報(IPアドレス)を含むため、SGWは、MME1/SGSN1が再起動されるとき、MME1/SGSN1のアドレス情報(IPアドレス)に従って、影響を受けたUEを検索することができる。
【０１４７】
この実施形態では、MME1/SGSN1障害非回復を感知する方法は、上記の方法に限定されない。
【０１４８】
602.  SGWは、UEをページングするようにMME2/SGSN2をトリガするために、DLデータ通知をMME2/SGSN2へ送信する。
【０１４９】
SGWは、MME1/SGSN1が障害から回復していないと決定し、MME1/SGSN1を含むMME/SGSNプール内で、MME1/SGSN1とは異なるモビリティ管理要素を再選択するように、すなわち、MME2/SGSN2を再選択するように、SGWをトリガし、DLデータ通知メッセージをMME2/SGSN2へ送信し、ただし、DLデータ通知メッセージは、UEのIMSI情報のみを搬送するのではなく、以下をも搬送してもよく、すなわち、
インジケータ情報要素であって、MME2/SGSN2に対して、ステップ603を行い、かつ、それ自体の識別子情報をUEへ送信するように、命令するための明確な指示であり、または
MME1/SGSN1の識別子情報(MME1 ID/SGSN1番号情報/SGSN1 IPアドレス情報)であって、ただし、MME1/SGSN1情報がMME2/SGSN2情報に合致しない場合、ステップ603が行われうる。
【０１５０】
全体的に、DLデータ通知メッセージ内で搬送された情報は、UEのためのMME2/SGSN2情報を提供するために、ステップ603でこのメッセージをHSSへ送信するように、MME2/SGSN2をトリガするために使用される。
【０１５１】
603.  MME2/SGSN2は、ページングメッセージをUEへ送信し、ただし、ページングメッセージは、UEのIMSI情報、CNドメインインジケータ情報要素、および、MME2/SGSN2識別子情報を搬送し、CNドメインインジケータは「PS」であり、ただし、MME2/SGSN2識別子情報は、以下であってもよい。
【０１５２】
MME2 ID/SGSN2 NRI(Network Resource Indicator、ネットワークリソースインジケータ)情報、または
一時識別子情報S-TMSI/GUTIであり、ただし、S-TMSI/GUTIはMME2 ID情報を含み、または
一時識別子情報P-TMSIであり、ただし、P-TMSIはSGSN2 NRI情報を含む。
【０１５３】
ページングメッセージは、以下で詳述するように、eノードBまたはRNC/BSSを通して、UEへ転送される。
【０１５４】
MME2は、ページングメッセージをeノードBへ送信し、ページングメッセージが、SGWによって提供されるUE IMSI情報およびCNドメインインジケータ情報要素を搬送し、CNドメインインジケータが「PS」であるため、eノードBは、ページングメッセージを受信した後、UEをページングし、または
【０１５５】
SGSN2は、ページングメッセージをRNC/BSSへ送信し、ページングメッセージが、SGWによって提供されたUE IMSI情報を搬送し、CNドメインインジケータが「PS」であるため、RNC/BSSは、ページングメッセージを受信した後、UEをページングする。
【０１５６】
604.  UEは、受信されたMME2 IDおよびSGSN2 NRI情報をRANへ送信する。
【０１５７】
UEは、MME2/SGSN2情報をRANへ送出する。例えば、UEは、ステップ603で受信されたS-TMSI/P-TMSI情報をRANへ送出し、ただし、S-TMSI/P-TMSI情報は、MME2/SGSN2情報である。RANは、UEによって送出されたMME2/SGSN2情報に従って、MME2/SGSN2を、NEのためのサービングネットワーク要素として選択し、UEによってMME2/SGSN2へ送信されるメッセージを、MME2/SGSN2へ転送してもよい。
【０１５８】
605.  UEは、アタッチ要求メッセージをMME2/SGSN2へ送信し、ただし、アタッチ要求メッセージは、UEのIMSI情報を搬送する。
【０１５９】
606.  MME2/SGSN2は、アタッチ要求メッセージを受信し、ページングを停止する。
【０１６０】
本発明のこの実施形態で提供されたページング処理方法では、モビリティ管理要素に障害があるシナリオにおいて、SGWは、障害が発生する前に障害のあるモビリティ管理要素によってサービスされるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【０１６１】
図7は、本発明の実施形態7によるページング処理方法の概略図であり、図7に示すように、以下の通りである。
【０１６２】
701.  SGWは、MME1/SGSN1が障害から回復していないことを検出かつ決定し、障害が発生する前にMME1/SGSN1によってサービスを受けるUEのコンテキストにおいて、障害フラグを設定し、障害非回復情報を記録する。
【０１６３】
SGWがどのようにMME1/SGSN1障害非回復を検出かつ決定するかについての詳細な説明は、実施形態6のステップ601とまったく同じである。詳細な説明については、ステップ601を参照することができ、このステップについては、これ以上詳述しない。
【０１６４】
MME1/SGSN1が障害から回復していないことを検出かつ決定した後、SGWは、以下に詳述するように、障害が発生する前にMME1/SGSN1によってサービスされるUEのコンテキストにおいて、障害フラグを設定し、障害非回復情報を記録する。
【０１６５】
MME1/SGSN1が障害から回復していないことを感知した後、SGWは、以下に詳述するように、MME1/SGSN1によってサービスを受けるUEのコンテキストにおいて、障害フラグを設定し、障害非回復情報を記録する。
【０１６６】
1)SGWは、MME1/SGSN1によってサービスを受けるUEのコンテキストにおいて、MME1/SGSN1障害フラグを設定し、MME1/SGSN1によってサービスを受けるUEについて、MME1/SGSN1障害非回復を記録する。例えば、障害フラグは、「MME1/SGSN1故障」を記録して、MME1/SGSN1障害非回復を示してもよく、または、障害フラグは、関連のある障害情報を、MME1/SGSN1障害非回復を示す値「真」と共に記録してもよく、および
【０１６７】
2)MME1/SGSN1によってサービスを受けるUEのコンテキストにおいて、SGWは、MME1/SGSN1 TEIDを特定の値に設定し、例えば、MME1/SGSN1 TEIDをヌル値またはすべて0またはすべて1に設定し、異なる障害シナリオ間で区別するようにする。ここでは、MME1/SGSN1 TEIDは、すべて1に設定されて、MME1/SGSN1障害非回復が示されてもよい。
【０１６８】
この実施形態では、MME1/SGSN1障害非回復を感知かつ記録する方法は、上記の2つの方法に限定されない。
【０１６９】
702.  SGWは、ダウンリンクデータをPGWから受信し、障害フラグに記録された障害非回復情報に従って、MME1/SGSN1を含むMME/SGSNプール内で、MME1/SGSN1とは異なるモビリティ管理要素、すなわち、MME2/SGSN2を選択するように、SGWをトリガして、UEコンテキストを再作成するようにする。
【０１７０】
703.  このステップについての詳細な説明は、実施形態6のステップ602とまったく同じである。詳細な説明については、ステップ602を参照することができ、このステップについては、これ以上詳述しない。
【０１７１】
704.  このステップについての詳細な説明は、実施形態6のステップ603とまったく同じである。詳細な説明については、ステップ603を参照することができ、このステップについては、これ以上詳述しない。
【０１７２】
705.  このステップについての詳細な説明は、実施形態6のステップ604とまったく同じである。詳細な説明については、ステップ604を参照することができ、このステップについては、これ以上詳述しない。
【０１７３】
706.  このステップについての詳細な説明は、実施形態6のステップ605とまったく同じである。詳細な説明については、ステップ605を参照することができ、このステップについては、これ以上詳述しない。
【０１７４】
707.  このステップについての詳細な説明は、実施形態6のステップ606とまったく同じである。詳細な説明については、ステップ606を参照することができ、このステップについては、これ以上詳述しない。
【０１７５】
本発明のこの実施形態で提供されたページング処理方法では、モビリティ管理要素に障害があるシナリオにおいて、SGWは、障害が発生する前に障害のあるモビリティ管理要素によってサービスされるUEのためのモビリティ管理要素を再選択し、UEをページングするように、再選択されたモビリティ管理要素をトリガし、それにより、アタッチ処理を開始してコンテキストを再作成するように、UEをさらにトリガし、それにより、ユーザ体験を保証する。
【０１７６】
図8は、本発明の実施形態8によるサービングゲートウェイの概略図である。図8に示すように、サービングゲートウェイは、
モビリティ管理要素の障害を検出し、障害のタイプを決定し、障害のタイプに従って、モビリティ管理要素を再選択するように構成された、決定および選択ユニットを含み、ただし
決定および選択ユニットは、第1のモビリティ管理要素に障害があることを検出し、障害のタイプが再起動成功であると決定し、第1のモビリティ管理要素を再選択するように、または、第1のモビリティ管理要素に障害があることを検出し、障害のタイプが障害非回復であると決定し、第1のモビリティ管理要素を含むモビリティ管理要素プール内で、第2のモビリティ管理要素を再選択するように特に構成され、および
ダウンリンクデータ通知メッセージを、再選択されたモビリティ管理要素へ送信するように構成された、送信ユニットを含む。
【０１７７】
決定および選択ユニットはまた、以下に詳述するように、図9に示された異なるサブユニットから構成されてもよい。
【０１７８】
図9に示すように、決定および選択ユニットは、
モビリティ管理要素の障害を検出し、障害のタイプを決定するように構成された、決定サブユニットと、
障害が発生する前にモビリティ管理要素によってサービスされるUEのコンテキストにおいて、障害フラグを設定し、障害タイプ情報を記録するように構成された、識別子設定サブユニットと、
パケットデータネットワークゲートウェイによって送信されたUE関連ダウンリンクデータを受信するように構成された、受信サブユニットと、
障害フラグに記録された障害タイプ情報に従って、モビリティ管理要素を再選択するように構成された、選択サブユニットとをさらに含む。
【０１７９】
図8および図9に示され、本発明のこの実施形態で提供されたサービングゲートウェイでは、モビリティ管理要素に障害があるシナリオにおいて、モビリティ管理要素が、障害が発生する前に障害のあるモビリティ管理要素によってサービスされるUEのために再選択され、UEをページングするように、再選択されたモビリティ管理要素がトリガされ、それにより、アタッチ処理を開始してコンテキストを再作成するように、UEをさらにトリガし、それにより、ユーザ体験を保証する。
【０１８０】
図10は、本発明の実施形態9によるページング処理システムの概略図である。図10に示すように、ページング処理システムは、
モビリティ管理要素の障害を検出し、障害のタイプを決定し、障害のタイプに従って、モビリティ管理要素を再選択し、ダウンリンクデータ通知メッセージを、再選択されたモビリティ管理要素へ送信するように構成された、サービングゲートウェイと、
ダウンリンクデータ通知メッセージをサービングゲートウェイから受信し、ページングメッセージを、障害が発生する前に障害のあるモビリティ管理要素によってサービスされるUEへ送信するように構成された、モビリティ管理要素とを含む。
【０１８１】
1)サービングゲートウェイは、
第1のモビリティ管理要素の障害を検出し、障害のタイプを再起動成功として決定し、第1のモビリティ管理要素を再選択し、ダウンリンクデータ通知メッセージを第1のモビリティ管理要素へ送信し、ただし、ダウンリンクデータ通知メッセージは、UEのIMSI情報を搬送すること、
または
第1のモビリティ管理要素の障害を検出し、障害のタイプを再起動成功として決定し、再起動が発生する前に第1のモビリティ管理要素によってサービスされるUEのコンテキストにおいて、障害フラグを設定し、再起動成功情報を記録し、パケットデータネットワークゲートウェイによって送信されたUE関連ダウンリンクデータを受信し、障害フラグに記録された再起動成功情報に従って、第1のモビリティ管理要素を再選択し、ダウンリンクデータ通知メッセージを第1のモビリティ管理要素へ送信し、ただし、ダウンリンクデータ通知メッセージは、UEのIMSI情報を搬送することを行うように特に構成される。
【０１８２】
上記の説明に基づいて、モビリティ管理要素は、サービングゲートウェイによって送信されたダウンリンクデータ通知メッセージを受信し、ページングメッセージを、障害が発生する前に第1のモビリティ管理要素によってサービスされるUEへ送信するように特に構成される。
【０１８３】
2)別法として、サービングゲートウェイは、
第1のモビリティ管理要素の障害を検出し、障害のタイプを障害非回復として決定し、第1のモビリティ管理要素を含むモビリティ管理要素プール内で、第2のモビリティ管理要素を選択し、ダウンリンクデータ通知メッセージを第2のモビリティ管理要素へ送信し、ただし、ダウンリンクデータ通知メッセージは、UEのIMSI情報を搬送し、ダウンリンクデータ通知メッセージは、ホーム加入者サーバの登録開始インジケータ情報要素をさらに搬送し、もしくは、第1のモビリティ管理要素の識別子情報を搬送し、もしくは、無線アクセス技術タイプRATタイプ情報および公衆地上モバイルネットワーク識別子PLMN ID情報を搬送し、ただし、上記の情報は、第2のモビリティ管理要素に対して、それ自体の識別子情報をホーム加入者サーバへ送信するように命令するために使用されること、
または
第1のモビリティ管理要素の障害を検出し、障害のタイプを障害非回復として決定し、障害が発生する前に第1のモビリティ管理要素によってサービスを受けるUEのコンテキストにおいて、障害フラグを設定し、障害非回復情報を記録し、パケットデータネットワークゲートウェイによって送信されたUE関連ダウンリンクデータを受信し、障害フラグに記録された障害非回復情報に従って、第1のモビリティ管理要素を含むモビリティ管理要素プール内で、第2のモビリティ管理要素を選択し、ダウンリンクデータ通知メッセージを第2のモビリティ管理要素へ送信し、ただし、ダウンリンクデータ通知メッセージは、UEのIMSI情報を搬送し、ダウンリンクデータ通知メッセージは、ホーム加入者サーバの登録開始インジケータ情報要素をさらに搬送し、もしくは、第1のモビリティ管理要素の識別子情報を搬送し、もしくは、無線アクセス技術タイプRATタイプ情報および公衆地上モバイルネットワーク識別子PLMN ID情報を搬送し、ただし、上記の情報は、第2のモビリティ管理要素に対して、それ自体の識別子情報をホーム加入者サーバへ送信するように命令するために使用されることを行うように特に構成される。
【０１８４】
上記の説明に基づいて、モビリティ管理要素は、サービングゲートウェイによって送信されたダウンリンクデータ通知メッセージを受信し、登録メッセージをホーム加入者サーバへ送信し、ただし、登録メッセージは、UEのIMSI、および、第2のモビリティ管理要素の識別子情報を搬送すること、および、ページングメッセージをUEへ送信し、ただし、ページングメッセージは、UEのIMSI情報、および、コアネットワークドメインインジケータ情報要素を搬送し、コアネットワークドメインインジケータ情報要素は、パケット交換ドメインを示すことを行うように特に構成される。
【０１８５】
3)別法として、サービングゲートウェイは、
第1のモビリティ管理要素の障害を検出し、障害のタイプを障害非回復として決定し、第1のモビリティ管理要素を含むモビリティ管理要素プール内で、第2のモビリティ管理要素を選択し、ダウンリンクデータ通知メッセージを第2のモビリティ管理要素へ送信し、ただし、ダウンリンクデータ通知メッセージは、UEのIMSI情報を搬送し、ダウンリンクデータ通知メッセージは、第1のモビリティ管理要素のインジケータ情報要素もしくは識別子情報をさらに搬送し、ただし、この情報は、第2のモビリティ管理要素に対して、それ自体の識別子情報をUEへ送信するように命令するために使用されること、
または
第1のモビリティ管理要素の障害を検出し、障害のタイプを障害非回復として決定し、障害が発生する前に第1のモビリティ管理要素によってサービスを受けるUEのコンテキストにおいて、障害フラグを設定し、障害非回復情報を記録し、パケットデータネットワークゲートウェイによって送信されたUE関連ダウンリンクデータを受信し、障害フラグに記録された障害非回復情報に従って、第1のモビリティ管理要素を含むモビリティ管理要素プール内で、第2のモビリティ管理要素を選択し、ダウンリンクデータ通知メッセージを第2のモビリティ管理要素へ送信し、ただし、ダウンリンクデータ通知メッセージは、UEのIMSI情報を搬送し、ダウンリンクデータ通知メッセージは、第1のモビリティ管理要素のインジケータ情報要素もしくは識別子情報をさらに搬送し、ただし、この情報は、第2のモビリティ管理要素に対して、それ自体の識別子情報をUEへ送信するように命令するために使用されることを行うように特に構成される。
【０１８６】
上記の説明に基づいて、モビリティ管理要素は、サービングゲートウェイによって送信されたダウンリンクデータ通知メッセージを受信し、ページングメッセージをUEへ送信するように特に構成され、ただし、ページングメッセージは、UEのIMSI情報、および、コアネットワークドメインインジケータ情報要素を搬送し、コアネットワークドメインインジケータ情報要素は、パケット交換ドメインを示し、ページングメッセージは、第2のモビリティ管理要素の識別子情報、または、第2のモビリティ管理要素によってUEに割り振られた一時識別子情報をさらに搬送し、一時識別子情報は、第2のモビリティ管理要素の識別子情報を含む。
【０１８７】
図10に示され、本発明のこの実施形態で提供されたページング処理システムでは、モビリティ管理要素に障害があるシナリオにおいて、モビリティ管理要素が、障害が発生する前に障害のあるモビリティ管理要素によってサービスされるUEのために再選択され、UEをページングするように、再選択されたモビリティ管理要素がトリガされ、それにより、アタッチ処理を開始してコンテキストを再作成するように、UEをさらにトリガし、それにより、ユーザ体験を保証する。
【０１８８】
図11は、本発明の実施形態10によるページング処理システムの概略図である。図11に示すように、図10に示されたページング処理システムは、
UEに関係するダウンリンクデータを、サービングゲートウェイへ送信するように構成された、パケットデータネットワークゲートウェイをさらに含む。
【０１８９】
図11に示され、本発明のこの実施形態で提供されたページング処理システムでは、モビリティ管理要素に障害があるシナリオにおいて、モビリティ管理要素が、障害が発生する前に障害のあるモビリティ管理要素によってサービスされるUEのために再選択され、UEをページングするように、再選択されたモビリティ管理要素がトリガされ、それにより、アタッチ処理を開始してコンテキストを再作成するように、UEをさらにトリガし、それにより、ユーザ体験を保証する。
【０１９０】
図12は、本発明の実施形態11によるページング処理システムの概略図である。図12に示すように、図10に示されたページング処理システムは、
モビリティ管理要素から登録メッセージを受信し、モビリティ管理要素の識別子情報を格納するように構成された、ホーム加入者サーバをさらに含む。
【０１９１】
図12に示され、本発明のこの実施形態で提供されたページング処理システムでは、モビリティ管理要素に障害があるシナリオにおいて、モビリティ管理要素が、障害が発生する前に障害のあるモビリティ管理要素によってサービスされるUEのために再選択され、UEをページングするように、再選択されたモビリティ管理要素がトリガされ、それにより、アタッチ処理を開始してコンテキストを再作成するように、UEをさらにトリガし、それにより、ユーザ体験を保証する。
【０１９２】
図13は、本発明の実施形態12によるページング処理システムの概略図である。図13に示すように、図12に示されたページング処理システムは、
UEに関係するダウンリンクデータを、サービングゲートウェイへ送信するように構成された、パケットデータネットワークゲートウェイをさらに含む。
【０１９３】
図13に示され、本発明のこの実施形態で提供されたページング処理システムでは、モビリティ管理要素に障害があるシナリオにおいて、モビリティ管理要素が、障害が発生する前に障害のあるモビリティ管理要素によってサービスされるUEのために再選択され、UEをページングするように、再選択されたモビリティ管理要素がトリガされ、それにより、アタッチ処理を開始してコンテキストを再作成するように、UEをさらにトリガし、それにより、ユーザ体験を保証する。
【０１９４】
これらの実施形態における方法のステップの全部または一部は、関連ハードウェアに命令するプログラムによって実装されうることは、当業者には理解されよう。このプログラムは、コンピュータ可読記憶媒体に格納されうる。プログラムが実行されるとき、これらの実施形態における上記の方法のステップが行われる。記憶媒体は、ROM、RAM、磁気ディスクまたは光ディスクなど、プログラムコードを格納可能な任意の媒体であってもよい。
【０１９５】
当業者は、本発明の精神および範囲から逸脱することなく、本発明の変更および変形を行うことができることは、明らかである。本発明は、以下の特許請求の範囲またはそれらの均等物によって定義された保護の範囲内にそれらの変更および変形が入るならば、それらの変更および変形を包含するように意図される。
【符号の説明】
【０１９６】
１０１、１０２……ステップ
【図１】
2013537375.tif 000003
【図２】
2013537375.tif 000004
【図３】
2013537375.tif 000005
【図４】
2013537375.tif 000006
【図５】
2013537375.tif 000007
【図６】
2013537375.tif 000008
【図７】
2013537375.tif 000009
【図８】
2013537375.tif 000010
【図９】
2013537375.tif 000011
【図１０】
2013537375.tif 000012
【図１１】
2013537375.tif 000013
【図１２】
2013537375.tif 000014
【図１３】
2013537375.tif 000015
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
サービングゲートウェイによって、モビリティ管理要素の障害を検出し、前記障害のタイプを決定し、前記障害の前記タイプに従って、モビリティ管理要素を再選択するステップと、
前記サービングゲートウェイによって、ダウンリンクデータ通知メッセージを、前記再選択されたモビリティ管理要素へ送信するステップであって、その後、前記再選択されたモビリティ管理要素は、ページングメッセージを、前記障害が発生する前に前記障害のあるモビリティ管理要素によってサービスされるユーザ装置(UE)へ送信する、ステップと
を備える、ページング処理方法。
【請求項２】
前記サービングゲートウェイによって、モビリティ管理要素の障害を検出し、前記障害のタイプを決定し、前記障害の前記タイプに従って、モビリティ管理要素を再選択する前記ステップは、
前記サービングゲートウェイによって、第1のモビリティ管理要素の障害を検出し、前記障害のタイプを障害非回復として決定し、前記第1のモビリティ管理要素を備えるモビリティ管理要素プール内で、第2のモビリティ管理要素を選択するステップ
を備える、請求項1に記載のページング処理方法。
【請求項３】
前記サービングゲートウェイによって、モビリティ管理要素の障害を検出し、前記障害のタイプを決定し、前記障害の前記タイプに従って、モビリティ管理要素を再選択する前記ステップは、
前記サービングゲートウェイによって、第1のモビリティ管理要素の障害を検出し、前記障害のタイプを障害非回復として決定するステップと、
前記サービングゲートウェイによって、前記障害が発生する前に前記第1のモビリティ管理要素によってサービスされるUEのコンテキストにおいて、障害フラグを設定し、障害非回復情報を記録するステップと、
前記サービングゲートウェイによって、パケットデータネットワークゲートウェイによって送信されたUE関連ダウンリンクデータを受信するステップと、
前記サービングゲートウェイによって、前記障害フラグに記録された前記障害非回復情報に従って、前記第1のモビリティ管理要素を備えるモビリティ管理要素プール内で、第2のモビリティ管理要素を選択するステップと
を備える、請求項1に記載のページング処理方法。
【請求項４】
モビリティ管理要素の障害を検出し、前記障害のタイプを決定し、前記障害の前記タイプに従って、モビリティ管理要素を再選択するように構成された、決定および選択ユニットと、
ダウンリンクデータ通知メッセージを、前記再選択されたモビリティ管理要素へ送信するように構成された、送信ユニットと
を備える、サービングゲートウェイ。
【請求項５】
前記決定および選択ユニットは、
第1のモビリティ管理要素の障害を検出し、前記障害のタイプを障害非回復として決定し、前記第1のモビリティ管理要素を備えるモビリティ管理要素プール内で、第2のモビリティ管理要素を選択するように特に構成される、請求項4に記載のサービングゲートウェイ。
【請求項６】
前記決定および選択ユニットは、
第1のモビリティ管理要素の障害を検出し、前記障害のタイプを再起動成功として決定し、第1のモビリティ管理要素を再選択するように特に構成される、請求項4に記載のサービングゲートウェイ。
【請求項７】
前記決定および選択ユニットは、
前記モビリティ管理要素の障害を検出し、前記障害のタイプを決定するように構成された、決定サブユニットと、
前記障害が発生する前に前記モビリティ管理要素によってサービスされるユーザ装置(UE)のコンテキストにおいて、障害フラグを設定し、障害タイプ情報を記録するように構成された、識別子設定サブユニットと、
パケットデータネットワークゲートウェイによって送信されたUE関連ダウンリンクデータを受信するように構成された、受信サブユニットと、
前記障害フラグに記録された前記障害タイプ情報に従って、モビリティ管理要素を再選択するように構成された、選択サブユニットと
を備える、請求項4に記載のサービングゲートウェイ。
【請求項８】
モビリティ管理要素の障害を検出し、前記障害のタイプを決定し、前記障害の前記タイプに従って、モビリティ管理要素を再選択し、ダウンリンクデータ通知メッセージを、前記再選択されたモビリティ管理要素へ送信するように構成された、サービングゲートウェイと、
前記ダウンリンクデータ通知メッセージを前記サービングゲートウェイから受信し、ページングメッセージを、前記障害が発生する前に前記障害のあるモビリティ管理要素によってサービスされるユーザ装置(UE)へ送信するように構成された、モビリティ管理要素と
を備える、ページング処理システム。
【請求項９】
前記サービングゲートウェイは、
第1のモビリティ管理要素の障害を検出し、前記障害のタイプを障害非回復として決定し、前記第1のモビリティ管理要素を備えるモビリティ管理要素プール内で、第2のモビリティ管理要素を選択すること、
ダウンリンクデータ通知メッセージを前記第2のモビリティ管理要素へ送信することを行うように特に構成され、前記ダウンリンクデータ通知メッセージは、前記UEの国際モバイル加入者識別情報(IMSI)情報を搬送し、前記ダウンリンクデータ通知メッセージは、ホーム加入者サーバの登録開始インジケータ情報要素をさらに搬送し、または、前記第1のモビリティ管理要素の識別子情報を搬送し、または、無線アクセス技術タイプ(RATタイプ)情報および公衆地上モバイルネットワーク識別子(PLMN ID)情報を搬送し、上記の情報は、前記第2のモビリティ管理要素に対して、それ自体の識別子情報を前記ホーム加入者サーバへ送信するように命令するために使用される、請求項8に記載のページング処理システム。
【請求項１０】
前記サービングゲートウェイは、
第1のモビリティ管理要素の障害を検出し、前記障害のタイプを障害非回復として決定すること、
前記障害が発生する前に前記第1のモビリティ管理要素によってサービスされるUEのコンテキストにおいて、障害フラグを設定し、障害非回復情報を記録すること、
パケットデータネットワークゲートウェイによって送信されたUE関連ダウンリンクデータを受信すること、
前記障害フラグに記録された前記障害非回復情報に従って、前記第1のモビリティ管理要素を備えるモビリティ管理要素プール内で、第2のモビリティ管理要素を選択すること、および
ダウンリンクデータ通知メッセージを前記第2のモビリティ管理要素へ送信することを行うように特に構成され、前記ダウンリンクデータ通知メッセージは、前記UEの国際モバイル加入者識別情報(IMSI)情報を搬送し、前記ダウンリンクデータ通知メッセージは、ホーム加入者サーバの登録開始インジケータ情報要素をさらに搬送し、または、前記第1のモビリティ管理要素の識別子情報を搬送し、または、無線アクセス技術タイプ(RATタイプ)情報および公衆地上モバイルネットワーク識別子(PLMN ID)情報を搬送し、上記の情報は、前記第2のモビリティ管理要素に対して、それ自体の識別子情報を前記ホーム加入者サーバへ送信するように命令するために使用される、請求項8に記載のページング処理システム。
【請求項１１】
前記モビリティ管理要素は、
前記サービングゲートウェイによって送信された前記ダウンリンクデータ通知メッセージを受信し、登録メッセージを前記ホーム加入者サーバへ送信し、前記登録メッセージは、前記UEのIMSI、および、前記第2のモビリティ管理要素の識別子情報を搬送すること、および
ページングメッセージを前記UEへ送信することを行うように特に構成され、前記ページングメッセージは、前記UEの前記IMSI情報、および、コアネットワークドメインインジケータ情報要素を搬送し、前記コアネットワークドメインインジケータ情報要素は、パケット交換ドメインを示す、請求項9または10に記載のページング処理システム。
【請求項１２】
前記サービングゲートウェイは、
第1のモビリティ管理要素の障害を検出し、前記障害のタイプを障害非回復として決定し、前記第1のモビリティ管理要素を備えるモビリティ管理要素プール内で、第2のモビリティ管理要素を選択すること、
ダウンリンクデータ通知メッセージを前記第2のモビリティ管理要素へ送信することを行うように特に構成され、前記ダウンリンクデータ通知メッセージは、前記UEの国際モバイル加入者識別情報(IMSI)情報を搬送し、前記ダウンリンクデータ通知メッセージは、前記第1のモビリティ管理要素のインジケータ情報要素または識別子情報をさらに搬送し、前記情報は、前記第2のモビリティ管理要素に対して、それ自体の識別子情報を前記UEへ送信するように命令するために使用される、請求項8に記載のページング処理システム。
【請求項１３】
前記サービングゲートウェイは、
第1のモビリティ管理要素の障害を検出し、前記障害のタイプを障害非回復として決定すること、
前記障害が発生する前に前記第1のモビリティ管理要素によってサービスされたUEのコンテキストにおいて、障害フラグを設定し、障害非回復情報を記録すること、
パケットデータネットワークゲートウェイによって送信されたUE関連ダウンリンクデータを受信すること、
前記障害フラグに記録された前記障害非回復情報に従って、前記第1のモビリティ管理要素を備えるモビリティ管理要素プール内で、第2のモビリティ管理要素を選択すること、および
ダウンリンクデータ通知メッセージを前記第2のモビリティ管理要素へ送信することを行うように特に構成され、前記ダウンリンクデータ通知メッセージは、前記UEの国際モバイル加入者識別情報(IMSI)情報を搬送し、前記ダウンリンクデータ通知メッセージは、前記第1のモビリティ管理要素のインジケータ情報要素または識別子情報をさらに搬送し、前記IMSI情報、前記第1のモビリティ管理要素の前記インジケータ情報要素または前記識別子情報は、前記第2のモビリティ管理要素に対して、それ自体の識別子情報を前記UEへ送信するように命令するために使用される、請求項8に記載のページング処理システム。
【請求項１４】
前記モビリティ管理要素は、
前記サービングゲートウェイによって送信された前記ダウンリンクデータ通知メッセージを受信し、ページングメッセージを前記UEへ送信するように特に構成され、前記ページングメッセージは、前記UEの前記IMSI情報、および、コアネットワークドメインインジケータ情報要素を搬送し、前記コアネットワークドメインインジケータ情報要素は、パケット交換ドメインを示し、前記ページングメッセージは、前記第2のモビリティ管理要素の識別子情報、または、前記第2のモビリティ管理要素によって前記UEに割り振られた一時識別子情報をさらに搬送し、前記一時識別子情報は、前記第2のモビリティ管理要素の前記識別子情報を備える、請求項12または13に記載のページング処理システム。
【国際調査報告】
2013537375.tif 000016
2013537375.tif 000017
2013537375.tif 000018
2013537375.tif 000019
2013537375.tif 000020
2013537375.tif 000021